【手続補正書】
【提出日】平成21年2月20日(2009.2.20)
【手続補正１】
【補正対象書類名】特許請求の範囲
【補正対象項目名】全文
【補正方法】変更
【補正の内容】
【特許請求の範囲】
【請求項１】
イヤホーン、特に移動電話のハンドフリーキット用のワイヤ巻取りデバイスにおいて：
ワイヤ巻取りユニット（５０）であって、イヤホーンワイヤを巻き取るために、イヤホーンワイヤが巻取りボディ（２０）上に巻き取られる回転方向にあらかじめテンションがかけられている回転シリンダ状ワイヤ巻取りボディ（２０）とを供えるユニットと；
巻き取ったイヤホーンワイヤを有するワイヤ巻取りユニット（５０）と、前記あらかじめテンションのかかったワイヤ巻取りボディ（２０）を収納するハウジング（１；４５；６０；６５）と；を具え、
前記イヤホーンワイヤが前記ワイヤ巻取りボディ（２０）から完全に解放されたときに前記ワイヤ巻取りボディ（２０）を係止するロック機構（７、１３、２８）が設けられ、前記ワイヤ巻取りボディは、前記イヤホーンワイヤ部分をクランプするワイヤクランピング領域（２６）を具えており、
ａ）前記ワイヤ巻取りユニット（５０）は、前記あらかじめテンションのかかったワイヤ巻取りボディと共に転位又は取り出し可能なように前記ハウジング内に受けられ；又は
ｂ）前記ハウジングは、前記ワイヤクランピング領域がアクセス可能であるように取り外し可能なカバー（４５）および／または回動可能なハウジング部分（６０、６５）を具え；
前記イヤホーンワイヤがあらかじめテンションのかかった前記ワイヤ巻取りボディと交換可能であることを特徴とするワイヤ巻取りデバイス。
【請求項２】
請求項１に記載のワイヤ巻取りデバイスにおいて、前記ハウジング（１、４５）および／または前記ワイヤ巻取りユニット（５０）が、前記ワイヤ巻取りボディ（２０）が完全に解放された回転位置にあるときに、前記イヤホーンワイヤが前記ワイヤクランピング領域（２６）から取り外すことができ、別のイヤホーンワイヤを前記ワイヤクランプピング領域によってクランプできるように構成されていることを特徴とするワイヤ巻取りデバイス。
【請求項３】
請求項２に記載のワイヤ巻取りデバイスにおいて、前記ワイヤクランピング領域（２６）が、前記ワイヤ巻取りボディ（２０）の周辺サイドウオール（２５）と、半径方向において対向し、アーチ形状に曲がった前記ワイヤ巻取りボディ（２０）の壁（２４）で形成されていることを特徴とするワイヤ巻取りデバイス。
【請求項４】
請求項１乃至３のいずれか１項に記載のワイヤ巻取りデバイスにおいて、前記カバー（４５）を取り外すか、前記ハウジング部分（６０、６５）を回動することによって、ワイヤ入口領域（１５）及びワイヤ出口領域（１９）が、前記イヤホーンワイヤの交換のために露出され、再び塞がれることが可能であることを特徴とするワイヤ巻取りデバイス。
【請求項５】
請求項１乃至４のいずれか１項に記載のワイヤ巻取りデバイスにおいて、前記ワイヤ巻取りユニット（５０）が、前記あらかじめテンションのかかったワイヤ巻取りボディ（２０）と共に前記ハウジング（１）内に半径方向に移動可能に収納されており、前記ワイヤ巻取りユニット（５０）が前記ハウジングに完全に収納されているときに前記イヤホーンの交換が防止されることを特徴とするワイヤ巻取りデバイス。
【請求項６】
請求項５に記載のワイヤ巻取りデバイスにおいて、前記ワイヤ巻取りユニット（５０）のワイヤ入口領域（１５）および／またはワイヤ出口領域（１９）が、前記ワイヤ巻取りユニット部分（１４、１８）と前記ハウジング部分（１、６０、６５）の協動によって形成されており、イヤホーンワイヤの交換を可能とするあるいは防止することを特徴とするワイヤ巻取りデバイス。
【請求項７】
請求項１乃至６のいずれか１項に記載のワイヤ巻取りデバイスにおいて、前記ワイヤ巻取りユニット（５０）を前記あらかじめテンションのかかっているワイヤ巻取りボディ（２０）と共に前記ハウジング（１）から完全に取り外して、イヤホーンワイヤの交換ができることを特徴とするワイヤ巻取りデバイス。
【請求項８】
請求項５乃至７のいずれか１項に記載のワイヤ巻取りデバイスにおいて、前記ハウジングおよび／または前記ワイヤ巻取りユニット（５０）にラッチ機構（５、９）が設けられており、前記ハウジング（１）内に前記ワイヤ巻取りユニット（５０）を着脱自在に固定することを特徴とするワイヤ巻取りデバイス。
【請求項９】
請求項１乃至８のいずれか１項に記載のワイヤ巻取りデバイスにおいて、前記ロック機構（７、１３、２８）が、前記ワイヤ巻取りボディ（２０）の個別の回転位置あるいは任意の回転位置において前記ワイヤ巻取りボディ（２０）の回転動作を解放可能に係止するよう構成されていることを特徴とするワイヤ巻取りデバイス。
【請求項１０】
請求項９に記載のワイヤ巻取りデバイスにおいて、前記ロック機構（７、１３、２８）が前記ワイヤ巻取りユニット（５０）と前記ハウジング（１）の協動によって形成されることを特徴とするワイヤ巻取りデバイス。
【請求項１１】
請求項９に記載のワイヤ巻取りデバイスにおいて、前記ロック機構（７、１３、２８）が前記ワイヤ巻取りユニット（５０）内に完全に形成されていることを特徴とするワイヤ巻取りデバイス。
【請求項１２】
請求項１１に記載のワイヤ巻取りデバイスにおいて、前記ロック機構が、前記ワイヤ巻取りユニットのフロア（１０）に設けた半径方向の切り欠き（１３）によって、及び、このフロアに対向する前記ワイヤ巻取りボディ（２６）の下側に設けた、前記半径方向の切り欠き（１３）内に収納したボール（７）を案内するガイド溝（２８）によって形成されることを特徴とするワイヤ巻取りデバイス。
【請求項１３】
請求項９に記載のワイヤ巻取りデバイスにおいて、前記ロック機構がつめ機構によって形成されていることを特徴とするワイヤ巻取りデバイス。
【請求項１４】
請求項１乃至１３のいずれか１項に記載のワイヤ巻取りデバイスにおいて、前記ワイヤ巻取りユニット（５０）が、前記ワイヤ巻取りボディ（２０）にあらかじめテンションをかけるねじりばね（３０）であって、前記ばねの一端（３１）が前記ワイヤ巻取りユニットのフロア（１０）にアクティブに連結されており、他端（３２）が前記ワイヤ巻取りボディ（２０）にアクティブに連結されているねじりばねを具えることを特徴とするワイヤ巻取りデバイス。
【請求項１５】
請求項１４に記載のワイヤ巻取りデバイスにおいて、前記ねじりばね（３０）が前記ワイヤ巻取りボディ（２０）の筒状レセプタクル内に完全に収納されていることを特徴とするワイヤ巻取りデバイス。
【請求項１６】
請求項１に記載のワイヤ巻取りデバイスにおいて、前記ねじりばねが、熱スタンピングまたは係止エレメントのラッチによって、前記ワイヤ巻取りユニットのフロア（１０）に設けたピン（１１）に軸方向に固定されていることを特徴とするワイヤ巻取りデバイス。
【請求項１７】
請求項１乃至１６のいずれか１項に記載のワイヤ巻取りデバイスにおいて、コネクタ、イヤホーン、あるいは前記イヤホーンのマイクロホーンあるいは前記ハンドフリーキットのマイクロホーンを一時的に収納する保持ホルダが前記ハウジング（１）に設けられていることを特徴とするワイヤ巻取りデバイス。
【請求項１８】
請求項１乃至１７のいずれか１項に記載のワイヤ巻取りデバイスにおいて、ドームあるいはフード形状のカーブした外側周辺を有するイヤホーンワイヤを収納する環状ワイヤレセプタクルが、前記ワイヤ巻取りボディ（２０）の周辺サイドウオール（２１）と前記ハウジング（１）の外側周辺ウオールの間に形成されるように、前記ハウジング（１）の外側周辺ウオールがカーブしたドーム形状、あるはフード形状に形成されることを特徴とするワイヤ巻取りデバイス。